(57)【要約】【課題】コネクタの接続作業が不要となる換気装置を提供する。【解決手段】室内の空気を吸い込むための第１吸込開口２３と、他の室内の空気を吸い込むための吸入口３３，３５と、吸い込んだ空気を排気するための排気口２６とを本体ケース２２に設け、第１吸込口２３および吸入口３３，３５から空気を吸い込んで排気口２６へ排気させるシロッコファン２７と、このシロッコファン２７を回転させるモータ２８とを本体ケース２２内に設けた換気装置であって、吸入口３３，３５の開閉を行う開閉板４２，４７を本体ケース２２内に設け、この開閉板４２，４７の開閉動作を行わせるパルスモータＭ１，Ｍ２を円筒部３０に設けた。【選択図】図４
2004156853.tif 000002
【特許請求の範囲】
【請求項１】
室内の空気を吸い込むための吸込開口と、他の室内の空気を吸い込むための吸入口と、吸い込んだ空気を排気するための排気口とを本体ケースに設け、前記吸込開口および吸入口から空気を吸い込んで前記排気口へ排気させる送風手段を本体ケース内に設けた換気装置であって、
前記吸入口の開閉を行う開閉部材と、
この開閉部材の開閉動作を行わせる開閉駆動手段とを有し、
この開閉駆動手段を前記本体ケースに設けたことを特徴とする換気装置。
【請求項２】
室内の空気を吸い込むための吸込開口と、他のそれぞれ異なる複数の室内の空気を吸い込むための複数の吸入口と、吸い込んだ空気を排気するための排気口とを本体ケースに設け、前記吸込開口および吸入口から空気を吸い込んで前記排気口へ排気させる送風手段を本体ケース内に設けた換気装置であって、
前記本体ケースに円筒部を形成し、この円筒部の周壁に前記複数の吸入口を設け、
前記複数の吸入口の開閉を行う複数の開閉部材を前記周壁の内側に且つ周方向に沿って移動可能に設け、
前記複数の開閉部材を周方向に沿ってそれぞれ移動させる複数のモータを前記円筒部に設け、
各開閉部材を周方向に移動させることにより各吸入口の開閉の度合いを調整することを特徴とする換気装置。
【請求項３】
必要換気量に応じて前記吸入口の開閉度合と送風手段のモータの回転速度とを変えることを特徴とする請求項２に記載の換気装置。
【発明の詳細な説明】
【０００１】
【発明の属する技術分野】
この発明は、多室を換気することのできる換気装置に関する。
【０００２】
【従来の技術】
従来から、図１１ないし図１３に示す換気装置が知られている（例えば特許文献１参照）。
【０００３】
図１１ないし図１３において、１は筺体状の本体であり、この本体１に設けた開口３，４にはそれぞれダクトジョイント６，７が取り付けられている。各ダクトジョイント６，７内にはダクトジョイント６，７を開閉するシャッタ９，１０が設けられており、このシャッタ９，１０を開閉動作させるモータ１２，１３がダクトジョイント６，７に取り付けられている。ダクトジョイント６は図示しないダクトを介して洗面所に連通し、ダクトジョイント７は図示しないダクトを介してトイレに連通している。
【０００４】
また、本体１の開口１４には排気ダクトジョイント１５が取り付けられており、この排気ダクトジョイント１５は図示しないダクトを介して外に連通している。本体１の底部には浴室の空気を吸い込む循環吸込口１６とその吸い込んだ空気を吐出する循環吐出口１７と浴室の空気を吸い込む排気吸込口１９とが形成されている。また、本体１内には送風ファンＦ１，Ｆ２とシャッタ１８，１８Ａが設けられている。
【０００５】
そして、シャッタ１８を開成し、シャッタ１８Ａを閉成して送風ファンＦ１を駆動すると、図１２の実線の矢印で示すように循環吸込口１６から浴室の空気が吸い込まれ、この吸い込まれた空気はヒータＨによって加温されて循環吐出口１７から吹き出されていく。この加温された空気により浴室が暖房されことになる。
【０００６】
また、シャッタ９，１０，１８を開成して送風ファンＦ２を駆動すると、図１３の矢印で示すように浴室の空気が排気吸込口１９から吸い込まれて排気ダクトジョイント１５およびダクト（図示せず）を介して外へ排気され、浴室の換気が行われる。また、洗面所から吸い込まれた空気は図１３の破線の矢印で示すように吸い込まれて排気ダクトジョイント１５等を介して外へ排気され、洗面所の換気が行われる。同様に、トイレの空気も吸い込まれて排気ダクトジョイント１５等を介して外へ排気され、トイレの換気が行われる。
【０００７】
【特許文献１】
特開平０９−２０１４９４号公報（段落００１６〜００４０、図４〜図７）
【０００８】
【発明が解決しようとする課題】
ところで、このような換気装置にあっては、予め設けた天井の開口（本体１と同じ大きさになっている）に本体１を設置するが、各ダクトジョイント６，７は本体１から突出しているので、各ダクトジョイント６，７を本体１に取り付けた状態でその本体１を天井の開口に設置することができない。このため、本体１を取り付けるフレームを予め天井裏に設けておくとともにそのフレームに各ダクトジョイント６，７を取り付けておき、開口から本体１を挿入してそのフレームに本体１を取り付けることにより、各ダクトジョイント６，７を本体１に取り付けるようにしている。
【０００９】
また、各ダクトジョイント６，７のモータ１２，１３と本体１の電源とをコネクタで接続するが、本体１を開口に挿入してその開口を塞いでしまうと、その接続を行うことができないので、本体１を開口に挿入する前に接続しなければならない。このため、コネクタのリード線が短いことによりその本体１を開口近辺で支えながらコネクタを接続しなければならず、その接続作業が非常に面倒であるという問題があった。
【００１０】
この発明の目的は、コネクタの接続作業が不要となる換気装置を提供することにある。
【００１１】
【課題を解決するための手段】
上記目的を達成するため、請求項１の発明は、室内の空気を吸い込むための吸込開口と、他の室内の空気を吸い込むための吸入口と、吸い込んだ空気を排気するための排気口とを本体ケースに設け、前記吸込開口および吸入口から空気を吸い込んで前記排気口へ排気させる送風手段を本体ケース内に設けた換気装置であって、
前記吸入口の開閉を行う開閉部材と、
この開閉部材の開閉動作を行わせる開閉駆動手段とを有し、
この開閉駆動手段を前記本体ケースに設けたことを特徴とする。
【００１２】
請求項２の発明は、室内の空気を吸い込むための吸込開口と、他のそれぞれ異なる複数の室内の空気を吸い込むための複数の吸入口と、吸い込んだ空気を排気するための排気口とを本体ケースに設け、前記吸込開口および吸入口から空気を吸い込んで前記排気口へ排気させる送風手段を本体ケース内に設けた換気装置であって、
前記本体ケースに円筒部を形成し、この円筒部の周壁に前記複数の吸入口を設け、
前記複数の吸入口の開閉を行う複数の開閉部材を前記周壁の内側に且つ周方向に沿って移動可能に設け、
前記複数の開閉部材を周方向に沿ってそれぞれ移動させる複数のモータを前記円筒部に設け、
各開閉部材を周方向に移動させることにより各吸入口の開閉の度合いを調整することを特徴とする。
【００１３】
請求項３の発明は、必要換気量に応じて前記吸入口の開閉度合と送風手段のモータの回転速度とを変えることを特徴とする。
【００１４】
【発明の実施の形態】
以下、この発明に係る換気装置の１つである浴室用換気装置の実施の形態を図面に基づいて説明する。
【００１５】
図１ないし図４に示す浴室用換気装置２０は、換気ユニット２１と暖房ユニット７０とを備え、換気ユニット２１と暖房ユニット７０とが本体ケース２２によって一体となっている。
【００１６】
本体ケース２２の底面には、浴室（図示せず）の空気を吸い込む第１，第２吸込開口２３，２４と、吸い込んだ空気を浴室へ吹き出す吹出口２５とが設けられている。また、本体ケース２２の一側部には排気口２６が設けられている。この排気口２６は接続ダクト２６Ａに接続される図示しない排気ダクトを介して外気に連通される。
【００１７】
本体ケース２２は、筺体状に形成された下ケース部２２Ａと、この下ケース部２２Ａ内に設けられた円筒部３０と、下ケース部２２Ａの上に一体形成された上ケース部２２Ｂとを有している。下ケース部２２Ａには区画壁２２ｂによって換気ユニット２１と暖房ユニット７０に区画されている。
【００１８】
換気ユニット２１は、第１吸込開口２３から浴室の空気を吸い込んで排気口２６へ排気させるシロッコファン２７と、このシロッコファン２７を回転させるモータ２８等とを備えている。モータ２８は上ケース部２２Ｂの天井壁部２２ｃに取り付けられている。そして、シロッコファン２７とモータ２８とで送風手段が構成されている。
【００１９】
円筒部３０は、底壁部３０Ａを有するとともに上部が開口されている。底壁部３０Ａには第１吸込開口２３に連通する開口３０ｂが形成されている。ＳＨは開口３０ｂを開閉するシャッタである。また、円筒部３０の上部開口は下ケース部２２Ａと上ケース部２２Ｂとを仕切る仕切壁２９によって閉塞され、仕切壁２９には開口３１が形成されている。この開口３１により上ケース部２２Ｂ内と円筒部３０内とが連通している。また、円筒部３０の周壁３２には、３つの第１，第２，第３吸入口３３，３４，３５が形成されている。
【００２０】
円筒部３０の底壁部３０Ａには軸３７が固定され、この軸３７は底壁部３０Ａから上方へ突出している。軸３７にはギア４０が回転自在に装着されており、このギア４０の上面にはアーム４１の後端部が固定され、ギア４０とともにアーム４１が回転していくようになっている。アーム４１の先端には円弧状に形成された開閉板（開閉部材）４２が立設され、図５に示すように開閉板４２がアーム４１の回転とともに円筒部３０の内壁面に沿って摺接移動していくようになっている。
【００２１】
開閉板４２の大きさは各吸入口３３〜３５より大きく設定され、この開閉板４２がそれぞれの所定位置へ回動移動することにより各吸入口３３〜３５は閉塞されるようになっている。また、開閉板４２の回動位置を変えることによって各吸入口３３〜３５の開閉度合いが調整される。
【００２２】
また、軸３７の上部にはギア４５が回転自在に装着されており、ギア４５の上面にはアーム４６の後端部が固定され、ギア４５とともにアーム４６が回動していくようになっている。アーム４６の先端には円弧状に形成された開閉板（開閉部材）４７が立設され、開閉板４７がアーム４６の回動とともに円筒部３０の内壁面に沿って摺接移動していくようになっている。
【００２３】
開閉板４７の大きさは各吸入口３３〜３５より大きく設定され、この開閉板４７がそれぞれの所定位置へ回動移動することにより各吸入口３３〜３５は閉塞されるようになっている。また、開閉板４７の回動位置を変えることによって各吸入口３３〜３５の開閉度合いが調整される。
【００２４】
各ギア４０，４５には駆動ギア５０，５１が噛合しており、この駆動ギア５０，５１は円筒部３０の底壁部３０Ａに設けたパルスモータ（開閉電動手段）Ｍ１，Ｍ２によって回勅していく。駆動ギア５０，５１は図６に示す位置に配置され、アーム４６の左右方向の回転に対して干渉しないように駆動ギア５０は配置されている。
【００２５】
円筒部３０の周壁３２に設けた第１，第２，第３吸入口３３，３４，３５は、下ケース部２２Ａに設けた第１，第２，第３開口６１，６２，６３に接続ダクトＤ１〜Ｄ３を介して連通している。そして、下ケース部２２Ａの第１，第２，第３開口６１，６２，６３には吸入ダクトジョイント６４ａ，６４ｂ，６４ｃが設けられている。
【００２６】
吸入ダクトジョイント６４ａは図示しないダクトを介して他の室内であるトイレ（図示せず）に設けた吸込グリル（図示せず）に接続され、第１吸入口３３とトイレが連通されている。また、吸入ダクトジョイント６４ｂが図示しないダクトを介して他の室内である脱衣所（図示せず）に設けた吸込グリル（図示せず）に接続され、第２吸入口３４と脱衣所とが連通されている。
【００２７】
暖房ユニット７０は、シロッコファン７１とヒータ７２とシロッコファン７１を回転させるモータ７３とを備えており、シロッコファン７１の回転により第２環気日２４から浴室の空気が吸い込まれ、この吸い込まれた空気はヒータ７２により加温されて吹出口２５から浴室へ吹き出されていく。これにより、浴室が暖房されるようになっている。
【００２８】
図７は浴室用換気装置２０の制御系の構成を示したブロック図である。図７において、８０は操作部８１の操作や開度検出センサ８２〜８４の検出信号とトイレ照明スイッチＳＷ１や脱衣室照明スイッチＳＷ２のオン操作とに基づいてモータ２８，７３やパルスモータＭ１，Ｍ２を制御するとともにヒータ７２を制御する制御装置である。操作部８１は浴室や脱衣所に設置される。
【００２９】
制御装置８０は、ＣＰＵなどから構成されており、トイレ照明スイッチＳＷ１や脱衣室照明スイッチＳＷ２がオンされることによりトイレや脱衣室の使用状態を検知するが、赤外線センサ８５をトイレや脱衣室に設置して、トイレや脱衣室に入る人を検知してそのトイレや脱衣室が使用されているか否かを検知するようにしてもよい。
【００３０】
開度検出センサ８２は、図８に示すように、円筒部３０の周壁３２の第１吸入口３３の上の内周面に周方向に沿って設けた摺動抵抗８２Ａと、この摺動抵抗８２Ａと平行にその内周面に設けた接点板８２Ｂとを有している。摺動抵抗８２Ａおよび接点板８２Ｂには、図９に示すように開閉板４２の上部に設けた摺動端子８３が接触し、開閉板４２の回動移動とともにその摺動端子８３が摺動抵抗８２Ａおよび接点板８２Ｂを摺接移動していくようになっている。
【００３１】
摺動抵抗８２Ａの一方の端子は図１０に示すように所定の電圧Ｖｃが印加され、摺動抵抗８２Ａの他方の端子は接地されている。接点板８２Ｂは制御装置８０の入力ポートＰ１に接続され、制御装置８０は接点板８２Ｂの電圧を読み取っていく。
【００３２】
そして、摺動端子８３の摺接移動に応じて接点板８２Ｂに印加する電圧が変化し、摺動端子８３が破線位置に摺接移動したとき、すなわち円筒部３０の第１吸入口３３が開閉板４２により閉塞されたとき、接点板８２Ｂに印加する電圧がＶｃとなるように設定されている。また、摺動端子８３が鎖線位置に摺接移動したとき、すなわち円筒部３０の第１吸入口３３が開閉板４２により全開されたとき、接点板８２Ｂに印加する電圧がゼロとなるように設定されている。
【００３３】
制御装置８０は、入力ポートＰ１の電圧から開閉板４２による第１吸入口３３の開閉度合いを求めるようになっている。
【００３４】
同様に、第２，第３吸入口３４，３５の上には摺動抵抗（図示せず）と接点板（図示せず）とが設けられ、開閉板４７の上にはそれら摺動抵抗および接点板を摺接移動する摺動端子８５が設けられており、それら接点板は制御装置８０の入力ポートＰ２，Ｐ３にそれぞれ接続されている。制御装置８０は、入力ポートＰ２，Ｐ３の電圧を読み取って開閉板４２，４７による第２，第３吸入口３４，３５の開閉度合いを求めるようになっている。
［動  作］
次に、上記のように構成される浴室用換気装置２０の動作について説明する。
【００３５】
この実施形態では、第３吸入口３５は使用しないので板金によって形成した蓋９０で閉塞させておく。
【００３６】
操作部８１の操作により換気モードが設定された場合について説明する。換気モードが設定されると、パルスモータＭ１が駆動されて開閉板４２が移動され、開閉板４２の摺動端子８３が摺動抵抗８２Ａおよび接点板８２Ｂに摺接移動していくと、制御装置８０は入力ポートＰ１の電圧を読み取って開閉板４２による円筒部３０の第１吸入口３３の開閉度を求めていく。その開閉度が１／２になる位置に開閉板４２がくると、パルスモータＭ１の駆動が停止され、円筒部３０の第１吸入口３３が１／２開成した位置に開閉板４２が停止される。
【００３７】
一方、モータ２８が駆動されてシロッコファン２７が回転し、このシロッコファン２７の回転により本体ケース２２の第１吸込開口２３から浴室の空気が吸い込まれて排気口２６および排気ダクトを介して外へ排気されていき、浴室の換気が行われる。また、本体ケース２２の第１，第２吸入口３３，３４からトイレおよび脱衣所の空気が吸い込まれて排気口２６および排気ダクトを介して外へ排気されていき、トイレおよび脱衣所の換気が行われる。
【００３８】
トイレが使用されているとき、すなわちトイレ照明スイッチＳＷ１がオンしているときまたは赤外線センサ８５が人を検知しているとき、制御装置８０はパルスモータＭ１を制御して開閉板４２を移動させて円筒部３０の第１吸入口３３を全開にするとともにモータ２８の回転速度を上げる。この第１吸入口３３の全開により、トイレ内の臭いが速やかに外へ排出されることになる。また、モータ２８の回転速度が上昇されることにより、シロッコファン２７の回転数が上昇してトイレから第１吸入口３３へ吸い込まれる風量が増加するので、その臭いの排出はさらに速く行われることになる。
【００３９】
また、円筒部３０の第１吸入口３３の全開により、その第１吸入口３３から吸い込まれるトイレの風量が増加するが、モータ２８の回転速度の上昇によるシロッコファン２７の回転数の増加により、浴室や脱衣所の換気風量を減少させることなく、すなわち第１吸入口３３の開閉の度合いに拘わらず常に一定の吸込量で浴室や脱衣所の換気を行うことができる。
【００４０】
換気モードの設定が解除されると、制御装置８０はパルスモータＭ１を制御して開閉板４２を移動させて円筒部３０の第１吸入口３３を全閉にするとともにモータ２８の駆動を停止させる。モータ２８の停止により浴室，脱衣所，トイレの換気は停止する。また、円筒部３０の第１吸入口３３が開閉板４２により閉塞されるので、トイレの臭いが浴室や脱衣所へ流れ込んでしまうことが防止される。
【００４１】
操作部８１の操作により暖房モ一ドが設定されると、モータ７３が駆動されるとともにヒータ７２が通電される。モータ７３の駆動によりシロッコファン７１が回転して、本体ケース２２の第２吸込開口２４から浴室の空気が吸い込まれていく。この吸い込まれた空気はヒータ７２によって加温されて吹出口２５から浴室へ吹き出されて、浴室の暖房が行われる。
【００４２】
また、衣類乾燥モードが設定されると、シロッコファン２７，７１が回転されるとともにヒータ７２が通電される。シロッコファン２７の回転により、浴室の湿った空気が外へ排気され、ヒータ７２によって加温された温風がシロッコファン７１の回転により吹出口２５から浴室へ吹き出していく。この温風がシロッコファン７１の回転により循環されるとともに湿った空気が排気されることにより浴室内が乾燥していき、浴室内で衣類などの乾燥が行えることになる。
【００４３】
ところで、この換気装置２０は、開閉板４２，４７を移動させるモータＭ１，Ｍ２が円筒部３０の底壁部３０Ａに設けられていることにより、そのモータＭ１，Ｍ２と本体ケース２２に設けた電源（図示せず）とを予めコネクタで接続した状態で、天井の開口に設置することができる。このため、換気装置２０を天井に設置する際にモータＭ１，Ｍ２のコネクタと電源とを接続する接続作業が不要となる。
【００４４】
上記実施形態では、円筒部３０の第３吸入口３５を蓋９０により閉塞し、第２吸入口３４を脱衣所の吸込グリルに接続したが、この第２吸入口３４を蓋９０により閉塞し、第３吸入口３５を脱衣所の吸込グリルに接続してもよい。
【００４５】
また、上記実施形態では、円筒部３０の第１吸入口３３をトイレの吸込グリルに接続しているが、これに限らず他の第１，第２吸入口３４，３５をトイレの吸込グリルに接続してもよい。
【００４６】
このように、第１〜第３吸入口３３〜３５のいずれも開閉板２２，２７でいずれかで開閉することができるので、各吸入口３３〜３５と同じ数の開閉板を設ける必要がなく、しかも、第１〜第３吸入口３３〜３５のいずれも脱衣所やトイレの吸込グリルに接続することができるので、天井内に設置するダクトの配設を簡単なものにすることができる。
【００４７】
上記実施形態では、円筒部３０の第１吸入口３３をトイレに連通させて開閉板４２の開閉の度合いを調整するようにしたが、これに限らず他の部屋に連通させて換気モードや室内の利用状態に合わせて開閉板４２によって開閉の度合いを調整するようにしてもよい。また、例えば第３吸入口３５を他の室内に連通させ、換気モードや室内の利用状態に合わせて第３吸入口３５の開閉板４７の開閉の度合いを調整するようにしてもよい。
【００４８】
また、上記実施形態では、円筒部３０に３つの第１〜第３吸入口３３〜３５を設けているが、これに限らず例えば４つ設けてもよい。この場合、開閉板は２つでも３つでもよい。
【００４９】
【発明の効果】
以上説明したように、請求項１の発明によれば、開閉動作を行わせる開閉駆動手段を本体ケースに設けたものであるから、換気装置を天井に設置する際に開閉駆動手段のコネクタと電源とを接続する接続作業が不要となる。
【００５０】
請求項２の発明によれば、本体ケースに円筒部を形成し、この円筒部の周壁に前記複数の吸入口を設け、前記複数の吸入口の開閉を行う複数の開閉部材を前記周壁の内側に且つ周方向に沿って移動可能に設け、前記複数の開閉部材を周方向に沿ってそれぞれ移動させる複数のモータを前記円筒部に設け、各開閉部材を周方向に移動させることにより各吸入口の開閉の度合いを調整するようにしたものであるから、請求項１と同様な効果を得ることができるとともに、各吸入口毎に開閉部材を設ける必要がない。
【００５１】
請求項３の発明によれば、必要換気量に応じて前記吸入口の開閉度合と送風手段のモータの回転速度とを変えるものであるから、その吸入口の開閉の度合いに拘わらず吸込開口が吸い込む空気の吸込量を一定にすることができる。
【図面の簡単な説明】
【図１】この発明に係る浴室用換気装置の示した斜視図である。
【図２】図１に示す浴室用換気装置の一部を断面にした縦断面図である。
【図３】図１に示す浴室用換気装置の不断面図である。
【図４】図１に示す浴室用換気装置の構成を示した横断面図である。
【図５】図１に示す浴室用換気装置の円筒部を示した斜視図である。
【図６】開閉板の回勅させるギアの配置関係を示した説明図である。
【図７】浴室用換気装置の制御系の構成を示したブロック図である。
【図８】円筒の周壁に取り付けた摺動抵抗と接点板を示した説明図である。
【図９】摺動端子が摺動抵抗と接点板に接触している状態を示した説明図である。
【図１０】摺動端子と摺動抵抗と接点板との電気的な関係を示した回路図である。
【図１１】従来の浴室換気装置の構成を示した平断面図である。
【図１２】図１１の浴室換気装置の横断面図である。
【図１３】図１１の浴室換気装置の縦断面図である。
【符号の説明】
２０    浴室用換気装置（換気装置）
２２    本体ケース
２３    第１吸込開口
２７    シロッコファン
２８    モータ
３０    円筒部
３３    第１吸入口（吸入口）
３４    第２吸入口（吸入口）
３５    第３吸入口（吸入口）
４２    開閉板（開閉部材）
４７    開閉板（開閉部材）
Ｍ１    パルスモータ（開閉駆動手段）
Ｍ２    パルスモータ（開閉駆動手段）
【図１】
2004156853.tif 000003
【図２】
2004156853.tif 000004
【図３】
2004156853.tif 000005
【図４】
2004156853.tif 000006
【図５】
2004156853.tif 000007
【図６】
2004156853.tif 000008
【図７】
2004156853.tif 000009
【図８】
2004156853.tif 000010
【図９】
2004156853.tif 000011
【図１０】
2004156853.tif 000012
【図１１】
2004156853.tif 000013
【図１２】
2004156853.tif 000014
【図１３】
2004156853.tif 000015